(57)【要約】【課題】  音声を出力する音声出力機器において、音量レベルが高音量レベルから低音量レベルに変更された場合に、冷却不足とならないように冷却ファンの動作を制御することである。【解決手段】  音声を出力するスピーカと、スピーカに音声信号を出力する音声出力回路と、音声出力回路を制御してスピーカに出力する音量を制御する制御用マイコン１と、音声出力回路を冷却する冷却ファン８を備える音声出力機器１０に中間冷却モードを設ける。  中間冷却モードによると、音声出力機器１０が高音量レベルで動作する状態から低音量レベルで動作する状態へ切り替えられた場合に、前記低音量レベルに対応する低回転数で冷却ファンを動作させる前に、低音量レベルに対応する低回転数より回転数の高い回転数で冷却ファンを動作させることができる。【選択図】  図１
2005166701.tif 000002
【特許請求の範囲】
【請求項１】
入力された音声信号に基づく音量の音声を出力するスピーカと、前記スピーカに音声信号を出力する音声出力回路と、前記音声出力回路を制御することにより音声信号を制御する制御用マイコンと、前記制御用マイコンによって制御される冷却ファンとを備え、前記冷却ファンが前記音声信号の音量レベルに対応させた回転数で動作するよう制御用マイコンによって制御される音声出力機器であって、
当該音声出力機器が音量の高い高音量レベルで動作する状態から音量の低い低音量レベルで動作する状態へ切り替えられた場合に、前記低音量レベルに対応する低回転数で冷却ファンを動作させる前に前記低回転数より回転数の高い回転数で冷却ファンを動作させる中間冷却モードを備える音声出力機器。
【請求項２】
前記スピーカにより出力される音声の音量レベルが一定の範囲内の音量レベルを一つのグループとする複数の音量レベルのグループに区分され、該音量レベルのグループは音量レベルの大きさの順にランク付けされており、
各音量レベルのグループに対応させて前記冷却ファンの回転数が設定されるとともに、
前記中間冷却モードとして、音量レベルが前記ランクの高いグループからランクの低いグループに変更されると、音量レベルが変更される前のランクの高いグループに対応させた回転数で冷却ファンを所定時間動作させた後に、音量レベルが変更された後のランクの低いグループに対応させた回転数で冷却ファンを動作させる動作モードが設けられていることを特徴とする請求項１に記載の音声出力機器。
【請求項３】
前記中間冷却モードとして、音量レベルが前記ランクの高いグループから２ランク以上低いグループに変更されると、音量レベルが変更される前のグループに対応させた回転数で冷却ファンを所定時間動作させ、その後音量レベルが変更される前のグループと変更された後のグループの中間にランクされるグループに対応させた回転数で冷却ファンを所定時間動作させ、さらなる後に音量レベルが変更された後のグループに対応させた回転数で冷却ファンを動作させる動作モードが設けられていることを特徴とする請求項２に記載の音声出力機器。
【請求項４】
前記中間冷却モードとして、音量レベルが前記ランクの高いグループから２ランク低いグループに変更されると、音量レベルが変更される前のグループに対応させた回転数で冷却ファンを所定時間動作させ、その後１ランク低いグループに対応させた回転数で冷却ファンを所定時間動作させ、さらなる後に音量レベルが変更された後のグループに対応させた回転数で冷却ファンを動作させる動作モードが設けられていることを特徴とする請求項３に記載の音声出力機器。
【発明の詳細な説明】
【技術分野】
【０００１】
本発明は、スピーカを備えて音声を出力する音声出力機器に関する。
【背景技術】
【０００２】
テレビ受像機や記録再生装置等の音声を出力する電気機器は、音声を出力するためのスピーカと、前記スピーカに音声信号を出力する音声出力回路と、この電気機器の動作を制御するための制御用マイコンと、スピーカが出力する音量レベルに応じて動作する冷却ファンとを備えている。
【０００３】
この電気機器では、受信したテレビ放送等の音声に関して、この機器のユーザがスピーカより出力する音声の音量レベルを変化させる操作を行うと、制御用マイコンが音声出力回路を制御してスピーカに入力する音声信号の音量レベルを変化させる。
【０００４】
また、制御用マイコンは、スピーカが出力する音声の音量レベルに応じて冷却ファンの回転数の制御を行う。即ち、スピーカが出力する音声の音量レベルに応じて音声出力回路の動作等に伴う電力消費が異なり発熱状態も異なるが、制御用マイコンが音量レベルに応じて冷却ファンの回転数を制御し、音量レベルに対応させて冷却できるようにされている。
【０００５】
このように、音声を出力する従来の電気機器には、スピーカが出力する音声の音量レベルに対応させて冷却ファンの回転数を制御できるようにされたものがある（例えば、特許文献１参照。）
【特許文献１】特開２０００−２３０９８８号公報
【発明の開示】
【発明が解決しようとする課題】
【０００６】
ところで、従来の音声を出力する電気機器における冷却ファンの制御は、冷却ファンを制御する時点における音量レベルとの関係で制御するものである。例えば、電気機器が高音量レベルで動作していた状態から低音量レベルで動作する状態に切り替えられると、直ちに低音量レベルに対応させた低回転で冷却ファンを動作させるように制御される。
【０００７】
しかし、高音量レベルの音声を出力していた場合、音声出力回路は比較的に高い電力を処理して高温状態となっていたため、低音量レベルに切り替えられた後も暫く余熱が存在する状態となっている。
【０００８】
従って、高音量レベルから低音量レベルに切り替えられた後に直ちに冷却ファンを低回転数で動作させると、冷却が不十分となり音声出力回路に熱的損傷を生ずるおそれがある。
【０００９】
そこで、本発明は、音声を出力する音声出力機器の音声出力回路の冷却が不十分とならないように冷却ファンが制御される音声出力機器を提供することを目的とする。
【課題を解決するための手段】
【００１０】
上記課題を解決するため、本発明は、入力された音声信号に基づく音量の音声を出力するスピーカと、前記スピーカに音声信号を出力する音声出力回路と、前記音声出力回路を制御することにより音声信号を制御する制御用マイコンと、前記制御用マイコンによって制御される冷却ファンとを備え、前記冷却ファンが前記音声信号の音量レベルに対応させた回転数で動作するよう制御用マイコンによって制御される音声出力機器であって、
当該音声出力機器が音量の高い高音量レベルで動作する状態から音量の低い低音量レベルで動作する状態へ切り替えられた場合に、前記低音量レベルに対応する低回転数で冷却ファンを動作させる前に前記低回転数より回転数の高い回転数で冷却ファンを動作させる中間冷却モードを備える音声出力機器である（請求項１）。
【００１１】
本発明の音声出力機器は、前記中間冷却モードを備えている。この中間冷却モードで音声出力機器を動作させることにより、スピーカより出力する音量レベルが高音量レベルから低音量レベルに変更された場合に、低音量レベルに対応する低回転数で冷却ファンを動作させる前に、前記低回転数より高い回転数で冷却ファンを動作させることができる。
【００１２】
これにより、音声出力回路が高音量レベルの音声を出力するための動作を行っていたことによる余熱を十分に冷却することができる。これにより、音声出力回路が熱的損傷を受けることを防ぐことができる。
また、前記音声出力機器について、前記スピーカにより出力される音声の音量レベルが一定の範囲内の音量レベルを一つのグループとする複数の音量レベルのグループに区分され、該音量レベルのグループは音量レベルの大きさの順にランク付けされるものである場合に、
各音量レベルのグループに対応させて前記冷却ファンの回転数を設定するとともに、
前記中間冷却モードとして、音量レベルが前記ランクの高いグループからランクの低いグループに変更されると、音量レベルが変更される前のランクの高いグループに対応させた回転数で冷却ファンを所定時間動作させた後に、音量レベルが変更された後のランクの低いグループに対応させた回転数で冷却ファンを動作させる動作モードを設けることができる（請求項２）。
【００１３】
この発明の音声出力機器によると、音量レベルがランクの高いグループからランクの低いグループに変更されると、変更された後のランクの低い音量レベルのグループに対応付けられた回転数で冷却ファンを動作させる前に、音量レベルが変更される前のランクの高いグループに対応付けられた回転数で冷却ファンを動作させる。
【００１４】
これにより、音声出力回路がランクの高いグループの音量レベルの音声を出力するための動作を行っていたことによる余熱を十分に冷却することができる。これにより、音声出力回路が熱的損傷を受けることを防ぐことができる。
【００１５】
また、前記中間冷却モードとして、音量レベルが前記ランクの高いグループから２ランク以上低いグループに変更されると、音量レベルが変更される前のグループに対応させた回転数で冷却ファンを所定時間動作させ、その後音量レベルが変更される前のグループと変更された後のグループの中間にランクされるグループに対応させた回転数で冷却ファンを所定時間動作させ、さらなる後に音量レベルが変更された後のグループに対応させた回転数で冷却ファンを動作させる動作モードを設けることもできる（請求項３）。
【００１６】
この発明の音声出力機器によると、音量レベルが２ランク以上低いグループの音量レベルに変更された場合に、変更された後の低いグループに対応させた回転数で冷却ファンを動作させる前に、変更される前のグループに対応させた回転数で冷却ファンを所定時間動作させ、さらに変更される前のグループと変更された後のグループの中間にランクされるグループに対応させた回転数で冷却ファンを所定時間動作させる。これにより、音量レベルが２ランク以上低いグループに変更された場合について、冷却を十分に行うことができる。
【００１７】
また、前記中間冷却モードとして、音量レベルが前記ランクの高いグループから２ランク低いグループに変更されると、音量レベルが変更される前のグループに対応させた回転数で冷却ファンを所定時間動作させ、その後１ランク低いグループに対応させた回転数で冷却ファンを所定時間動作させ、さらなる後に音量レベルが変更された後のグループに対応させた回転数で冷却ファンを動作させる動作モードを設けることもできる（請求項４）。
【００１８】
この発明の音声出力機器によると、中間冷却モードにおいて、冷却ファンを制御するための音量レベルのグループを段階的に１ランクづつ減少させる。これにより、音量レベルが２ランク低いグループに変更された場合について、段階的に冷却ファンの回転数を減少させることによって、冷却を十分に行うことができる。
【発明の効果】
【００１９】
本発明は、以上説明したような形態で実施され、以下に記載するような効果を奏する。本発明の音声出力機器によると、スピーカにより出力する音声の音量レベルが高音量レベルから低音量レベルに変更された場合に、変更された後の低音量レベルに対応させた低回転数で冷却ファンを動作させる前に、前記低回転数より高い回転数で冷却ファンを動作させる。これにより、音声出力回路の冷却を十分に行うことができる。
【発明を実施するための最良の形態】
【００２０】
以下、図１乃至図３に基づき、本発明の実施の形態について説明する。図１は、本発明にかかる音声出力機器の一実施形態であるテレビ受像機１０のブロック図である。図１は、テレビ受像機１０の冷却ファンのファンモータ（ＦＡＮ  ＭＯＴＯＲ）８を制御するためのブロックを示している。
【００２１】
テレビ受像機１０は、図１に示されるように、トランス２とリレー回路５とファンモータ８と第一のトランジスタ３と第二のトランジスタ４と制御用マイクロコンピュータ（以下、「制御用マイコン」という）１を備えている。
【００２２】
また、テレビ受像機１０は、図１に図示されないチューナ、音声出力回路、テレビモニタ等を備えている。
【００２３】
このテレビ受像機１０により視聴するための特定のチャンネルのテレビ放送はチューナによって受信することができる。チューナにより受信するチャンネルは、このテレビ受像機１０を使用する視聴者（以下、「ユーザ」ともいう）の操作によって選択される。
【００２４】
即ち、テレビ受像機１０を操作するための図示されない操作用リモコンをユーザが操作して特定のチャンネルを選択すると、チューナは選択されたチャンネルのテレビ放送を受信する。
【００２５】
テレビモニタは、テレビ受像機１０が受信したチャンネルのテレビ放送を出力する。テレビモニタは、テレビ放送の内容中の映像を出力する陰極線管と、テレビ放送の内容中の音声を出力するスピーカとを備えている。
【００２６】
チューナが受信したテレビ放送の信号中の映像信号が陰極線管に入力されることにより、テレビ放送の映像が陰極線管に出力される。チューナより出力された映像信号は、図１に図示されない映像信号処理回路によって処理された後に陰極線管に入力される。
【００２７】
また、テレビ放送の信号中の音声信号は、チューナを出力された後に音声出力回路に入力される。そして、音声信号は、音声出力回路で処理された後にテレビモニタのスピーカに入力される。
【００２８】
スピーカに出力する音声の音量レベルを調節するための処理は音声出力回路によって行われる。即ち、ユーザが操作用リモコンを操作して音量レベルを希望するレベルに設定すると、設定された音量レベルとなるように音声出力回路が音声信号の音量レベルを調節する処理を行う。
【００２９】
なお、ユーザが操作用リモコンにより特定の音量レベルを選択する操作を行うと、この選択された音量レベルのデータは後に説明する制御用マイコン１に入力され処理される。操作用リモコンの操作による音量レベルの選択は、音声のボリュームのステップ数の選択によって行う。
【００３０】
そして、音量レベルが高音量レベルとされる場合には音声出力回路における電力消費は相対的に大きくなり、音量レベルが低音量レベルとされる場合には音声出力回路における電力消費は相対的に少なくなる。
【００３１】
従って、スピーカより出力する音声の音量レベルが高音量レベルとされる場合には、音声出力回路による発熱が相対的に大きくなる。一方、スピーカより出力する音声の音量レベルが低音量レベルとされる場合には、音声出力回路による発熱が相対的に小さくなる。
【００３２】
図１に示されるトランス２は、テレビ受像機１０の各部材に所要の動作電力を供給する。トランス２は、図示されない商用の交流電源に接続されており、この交流電源より所要の電力を供給される。
【００３３】
トランス２の二次側には、第一レギュレータ６の入力端子、第二レギュレータ７の入力端子が接続されている。第一レギュレータ６、第二レギュレータ７は、各々が冷却ファンのファンモータ８を動作させるための動作電圧を出力する。
【００３４】
第一レギュレータ６は低回転用の第一電圧を出力する。この例では、第一レギュレータ６は第一電圧として７Ｖ（ボルト）を出力する。また、第二レギュレータ７は高回転用の第二電圧を出力する。この例では、第二レギュレータ７は第二電圧として１２Ｖ（ボルト）を出力する。
【００３５】
第一レギュレータ６の出力端子は、後に説明するリレー回路５の第一入力端子５ａに接続されている。また、第二レギュレータ７の出力端子は、リレー回路５の第二入力端子５ｂに接続されている。
【００３６】
リレー回路５は、冷却ファンのファンモータ８への動作電圧の入力の切り替えのために設けられている。リレー回路５は、第一入力端子５ａ、第二入力端子５ｂ、出力端子５ｃ、リレーコイル５ｄ及びスイッチ５ｓを備えている。第一入力端子５ａ、第二入力端子５ｂ、及び出力端子５ｃはリレー回路５の電気接点となっている。
【００３７】
リレーコイル５ｄの一方の端子は電源Ｂに接続され、リレーコイル５ｄの他方の端子は後に説明する第一のトランジスタ３のコレクタ端子３ｃに接続されている。また、スイッチ５ｓの基端は出力端子５ｃに接続されており、出力端子５ｃは後に説明する第二のトランジスタ４のコレクタ端子４ｃに接続されている。そして、スイッチ５ｓの先端の位置によってリレー回路５の動作状態が決まる。
【００３８】
リレー回路５のスイッチ５ｓの先端は、第一のトランジスタ３が非導通状態（オフ状態）にあると、第一入力端子５ａ側に投入されている。このスイッチ５ｓが第一入力端子５ａ側に投入され、出力端子５ｃが第一入力端子５ａと導通する状態は、リレー回路５の第一状態にあたる。
【００３９】
また、リレー回路５のスイッチ５ｓの先端は、第一のトランジスタ３が導通状態（オン状態）にあると、第二入力端子５ｂ側に投入されている。このスイッチ５ｓが第二入力端子５ｂ側に投入されており、出力端子５ｃが第二入力端子５ｂと導通する状態は、リレー回路５の第二状態にあたる。
【００４０】
リレー回路５が、第一状態又は第二状態のいずれの状態をとるかは後に説明する第一のトランジスタ３の動作状態によって制御される。第一のトランジス３の動作状態は、後に説明する制御用マイコン１によって制御される。
【００４１】
第一のトランジスタ３は、ベース端子３ｂとコレクタ端子３ｃとエミッタ端子３ｅを備えている。第一のトランジスタ３のベース端子３ｂは、制御用マイコン１の第一の制御信号出力端子１ａに接続されている。第一のトランジスタ３のコレクタ端子３ｃは、リレーコイル５ｄの前記他方の端子に接続されている。第一のトランジスタ３のエミッタ端子３ｅは接地されている。
【００４２】
第一のトランジスタ３は、ベース端子３ｂに制御用マイコン１の第一の制御信号出力端子１ａより出力されたオン信号が入力されると、導通状態とされる。一方、第一のトランジスタ３は、ベース端子３ｂにオン信号が入力されない状態では、非導通状態とされる。
【００４３】
第二のトランジスタ４は、ベース端子４ｂとコレクタ端子４ｃとエミッタ端子４ｅを備えている。第二のトランジスタ４のベース端子４ｂは、保護抵抗Ｒを介して制御用マイコン１の第二の制御信号出力端子１ｂに接続されている。第二のトランジスタ４のコレクタ端子４ｃは、リレー回路５の出力端子５ｃと接続されている。第二のトランジスタ４のエミッタ端子４ｅは、ファンモータ８の動作電圧入力端子に接続されている。
【００４４】
第二のトランジスタ４は、ベース端子４ｂに制御用マイコン１の第二の制御信号出力端子１ｂより出力されたオン信号が入力されると、導通状態とされる。一方、第二のトランジスタ４は、ベース端子４ｂにオン信号が入力されない状態では、非導通状態とされる。
【００４５】
第二のトランジスタ４が導通状態とされた状態で、第一レギュレータ６からの第一電圧又は第二レギュレータ７からの第二電圧がリレー回路５の出力端子５ｃに出力されると、第一電圧又は第二電圧は第二のトランジスタ４のコレクタ端子４ｃ及びエミッタ端子４ｅを通ってファンモータ８の動作電圧入力端子に入力される。
【００４６】
ファンモータ８は冷却ファンに備えられている。冷却ファンはファンモータ８の動作によって音声出力回路を冷却する。ファンモータ８は、スピーカが出力する音声の音量レベルに応じて、後に説明する制御用マイコン１によって制御される。制御用マイコン１は、第一のトランジスタ３、及び第二のトランジスタ４を制御することにより、ファンモータ８を制御する。
【００４７】
制御用マイコン１は、テレビ受像機１０の動作を制御する。制御用マイコン１は、図示しないＣＰＵ（中央演算処理装置）とＲＯＭ（読み出し専用メモリ）とＲＡＭ（読み書き可能メモリ）を備えている。また、制御用マイコン１は図示しないタイマーを内蔵している。制御用マイコン１は、時間の条件に基づく制御を行う場合には前記タイマーによって測定された時間を参照する。
【００４８】
制御用マイコン１のＲＯＭには、テレビ受像機１０の動作を制御するための制御プログラムが格納されている。また、制御用マイコン１のＲＯＭには、冷却ファンのファンモータ８を制御するための条件によって構成される冷却ファン制御マップが格納されている。
【００４９】
この冷却ファン制御マップは、定常動作制御マップと中間冷却動作制御マップを含んでいる。定常動作制御マップは、スピーカがある一定の音量レベルの音声を定常的に出力している状態で、その音量レベルに対してファンモータ８を動作させる条件を内容としている。この定常動作制御マップに基づくファンモータ８の制御により、冷却ファンは定常動作モードの動作を行う。
【００５０】
中間冷却動作制御マップは、スピーカが出力する音声の音量レベルに変化があった場合に、この変化の直後にファンモータ８を一時的に制御するための条件を内容としている。この中間冷却動作制御マップに基づくファンモータ８の制御により、冷却ファンは中間冷却モードの動作を行う。
【００５１】
図２は、制御用マイコン１のＲＯＭに格納される冷却ファン制御マップの内容の具体例を示している。図２（ａ）は、冷却ファン制御マップのうち定常動作制御マップの一例を示している。図２（ｂ）は、冷却ファン制御マップのうち中間冷却動作制御マップの一例を示している。
【００５２】
図２（ａ）において、ボリューム（ＶＯＬＵＭＥ）は、スピーカにより出力される音声の大きさを表しており、スピーカが出力する音声の音量レベルを示している。このテレビ受像機１０が出力する音声の音量レベルは、図２（ａ）に示されるように、０ステップ（ＳＴＥＰ）から４０ステップ（ＳＴＥＰ）の範囲で変化させることができる。
【００５３】
そして、図２（ａ）に示すように、ファンモータ８を制御するための定常動作モードとして、第一定常動作モード乃至第三定常動作モードの三つのモードが設けられている。この定常動作モードは、スピーカが出力する音量レベルのグループに対応させて設けられている。
【００５４】
第一定常動作モードは、音量レベルがグループＡ（音量レベルが０ステップ以上１０ステップ以下）にある音声を出力する場合の動作モードである。第二定常動作モードは、音量レベルがグループＢ（音量レベルが１１ステップ以上２５ステップ以下）にある音声を出力する場合の動作モードである。第三定常動作モードは、音量レベルがグループＣ（音量レベルが２６ステップ以上４０ステップ以下）にある音声を出力する場合の動作モードである。
【００５５】
図２（ａ）に示される各音量レベルについて、グループＢに属する音声の音量レベルはグループＣに属する音声の音量レベルより１段階低いランクに区分されている。また、グループＡに属する音声の音量レベルはグループＢに属する音声の音量レベルより１段階低いランクに区分されている。
【００５６】
また、図２（ａ）において、マイコンの欄は、各々の定常動作モードで動作させるにあたり、制御用マイコン１の制御信号出力端子１ａ、１ｂより出力される制御信号を示している。このマイコンの欄では、制御用マイコン１の出力端子１ａ、１ｂの状態を「Ｌ」、「Ｈ」で表現している。
【００５７】
「Ｈ」は、制御用マイコン１の出力端子１ａ、１ｂについて、オン信号を出力していることを意味している。「Ｌ」は、制御用マイコン１の出力端子１ａ、１ｂについて、オン信号を出力していないことを意味している。
【００５８】
また、図２（ａ）において、モータ（ＭＯＴＯＲ）電圧は、各々の定常動作モードで動作させるにあたり、ファンモータ８に入力される動作電圧を示している。また、図２（ａ）において、ファン回転数は、各々の定常動作モードで動作させた場合のファンモータ８の１分あたりの回転数である。また、図２（ａ）において、目標温度は、テレビ受像機１０内をその温度に維持しようとする温度の目標値である。
【００５９】
図２（ａ）に示されるように、第一定常動作モード（音量レベルのグループＡ）では、制御用マイコン１の出力端子１ａ、１ｂはいずれもオン信号を出力しない。そして、第一定常動作モードでは、第二のトランジスタ４は非導通状態にあり、ファンモータ８には動作電圧は入力されず、ファンモータ８は動作しない。
【００６０】
また、図２（ａ）に示されるように、第二定常動作モード（音量レベルのグループＢ）では、制御用マイコン１の出力端子１ｂのみがオン信号を出力する。そして、第二定常動作モードでは、リレー回路５は第一状態にあり、ファンモータ８には動作電圧として第一電圧（７Ｖ）が入力される。そして、ファンモータ８は、１８００回転で回転し低回転の動作を行う。
【００６１】
また、図２（ａ）に示されるように、第三定常動作モード（音量レベルのグループＣ）では、制御用マイコン１の出力端子１ａ及び１ｂの双方がオン信号を出力する。そして、第三定常動作モードでは、リレー回路５は第二状態にあり、ファンモータ８には動作電圧として第二電圧（１２Ｖ）が入力される。そして、ファンモータ８は、３０００回転で回転し高回転の動作を行う。
【００６２】
図２（ｂ）には、冷却ファンに中間冷却動作させる中間冷却モードとして、第一中間冷却モード乃至第三中間冷却モードの三つのモードが示されている。図２（ｂ）に示される第一中間冷却モードは、音量レベルが前記グループＣに属する音量レベルから前記グループＢに属する音量レベルに変更された場合にファンモータ８を制御するための動作モードである。
【００６３】
第一中間冷却モードでは、音量レベルがグループＣからグループＢに変更された場合、この変更が行われてから１分間はファンモータ８に第二電圧（１２Ｖ）を供給しグループＣに対応する回転数（３０００回転）で回転させる。
【００６４】
そして、音量レベルがグループＣからグループＢに変更された後に１分が経過すると、ファンモータ８に第一電圧（７Ｖ）を供給しグループＢに対応する回転数（１８００回転）で回転させる。
【００６５】
また、図２（ｂ）に示される第二中間冷却モードは、音量レベルが前記グループＢに属する音量レベルから前記グループＡに属する音量レベルに変更された場合にファンモータ８を制御するための動作モードである。
【００６６】
第二中間冷却モードでは、音量レベルがグループＢからグループＡに変更された場合、この変更が行われてから１分間はファンモータ８に第一電圧（７Ｖ）を供給しグループＢに対応する回転数（１８００回転）で回転させる。
【００６７】
そして、音量レベルがグループＢからグループＡに変更された後に１分が経過すると、ファンモータ８への動作電圧の供給を停止してファンモータ８を停止させ、グループＡに対応させる。
【００６８】
また、図２（ｂ）に示される第三中間冷却モードは、音量レベルが前記グループＣに属する音量レベルから前記グループＡに属する音量レベルに変更された場合にファンモータ８を制御するための動作モードである。
【００６９】
第三中間冷却モードでは、音量レベルがグループＣからグループＡに変更された場合、この変更が行われてから１分間はファンモータ８に第二電圧（１２Ｖ）を供給しグループＣに対応する回転数（３０００回転）で回転させる。
【００７０】
そして、音量レベルがグループＣからグループＡに変更された後に１分が経過すると、ファンモータ８に第一電圧（７Ｖ）を供給しグループＢに対応する回転数（１８００回転）で回転させる。そして、ファンモータ８をグループＢに対応する回転数で回転させている状態で、更に１分が経過すると、ファンモータ８への動作電圧の供給を停止してファンモータ８を停止させ、グループＡに対応させる。
【００７１】
この図２（ｂ）に示される中間冷却モードによりファンモータ８を制御すると、スピーカにより出力する音声の音量レベルが高音量レベルから低音量レベルに変更された場合、変更された後の一定時間は元の高音量レベルに対応させてファンモータ８を動作させるので、冷却を十分に行うことができ、冷却不足となることを防ぐことができる。
【００７２】
即ち、音量レベルが高音量レベルから低音量レベルに変更された場合、高音量レベルの音声を出力していたことに伴う余熱が暫く残存した状態となっており、音量レベルの変更があった後に直ちにファンモータの回転数を低下させると、冷却不足となるおそれがある。
【００７３】
以上の中間冷却モードによりファンモータ８を制御すると、音量レベルが変更された後の一定時間は元の高音量レベルに対応させた回転数でファンモータを動作させるので、冷却不足となることを防ぐことができる。
【００７４】
また、以上の中間冷却モードによると、高音量レベルから低音量レベルへの変更における音量差が大きい場合、ファンモータ８を一旦中間の音量レベルに対応させた回転数で動作させた後に、対応する低音量レベルの回転数で動作させるようにしている。
【００７５】
即ち、以上の第三中間冷却モードの例に示したように、グループＣに属する音量レベルからグループＡに属する音量レベルに変更された場合、音量レベルのグループにして２ランクの相違がある。
【００７６】
第三中間冷却モードの例では、グループＣの音量レベルから一ランク低い中間のレベルであるグループＢに対応する回転数でファンモータ８を動作させ、その後にグループＡに対応する回転数でファンモータ８を動作させる。
【００７７】
これにより、ファンモータ８を制御するための音量レベルのグループを段階的に一ランクづつ下げることによりファンモータ８の回転数を段階的に低減させるので、効率良く冷却を行うことができる。
【００７８】
次に、テレビ受像機１０を動作させる例について、図３に基づいて説明する。図３はテレビ受像機１０の動作の手順を示すフローチャートの一例である。まず、テレビ受像機１０を電源オンして動作を開始させる（Ｓ１）。
【００７９】
次に、ユーザがスピーカより出力する音声を希望の音量レベルとするように操作用リモコンを操作すると、選択された音量ボリュームのステップ（ＶＯＬＵＭＥ  ＳＴＥＰ）数が制御用マイコン１によって確認される（Ｓ２）。そして、Ｓ２で確認した音量ボリュームのステップ（ＳＴＥＰ）数に合わせて、制御用マイコン１は、出力端子１ａ、１ｂの「Ｌ」又は「Ｈ」の出力を切換える（Ｓ３）。
【００８０】
次に、所定のステップ（ＳＴＥＰ）数以上のボリューム（ＶＯＬＵＭＥ）にわたり音量レベルを減少させるように変更する操作が行われたか否か判断する（Ｓ４）。所定のステップ数以上のボリュームにわたった音量レベルの変更が行われていない場合（Ｓ４、ＮＯ）、制御用マイコン１の出力端子１ａ、１ｂの「Ｌ」又は「Ｈ」の出力は変更されない（Ｓ５）。
【００８１】
所定のステップ数以上のボリュームにわたった音量レベルの変更が行われた場合（Ｓ５、ＹＥＳ）、音量レベルのグループのランクにして二段階以上にわたって音声のボリュームのステップ（ＳＴＥＰ）数を減少させる変更が行われたか否か判断する（Ｓ６）。
【００８２】
音量レベルのグループのランクにして二段階以上にわたった音声のボリュームのステップ（ＳＴＥＰ）数を減少させる変更が行われていない場合には（Ｓ６、ＮＯ）、任意の時間、制御用マイコン１による「Ｌ」又は「Ｈ」の出力を変更前の音量レベルで維持し、その後、制御用マイコン１による「Ｌ」又は「Ｈ」の出力を切換える（Ｓ７）。
【００８３】
音量レベルのグループのランクにして二段階以上にわたった音声のボリュームのステップ（ＳＴＥＰ）数を減少させる変更が行われた場合（Ｓ６、ＹＥＳ）、音量レベルのグループのランクにして一段階落とした冷却ファンの制御を行う（Ｓ８）。
【００８４】
次に、所定時間が経過したか否かの判断を行い（Ｓ９）、所定時間が経過していない場合（Ｓ９、ＮＯ）、Ｓ８の手順を繰り返す。所定時間が経過した場合（Ｓ９、ＹＥＳ）、音量レベルのグループのランクをさらに一段階落とした冷却ファンの制御を行う（Ｓ１０）。そして、処理を終了する（Ｓ１１）。
【００８５】
以上の説明では、本発明の音声出力機器の例として、テレビ受像機の例を挙げて説明した。本発明を実施するにあたり、テレビ受像機以外の機器により実施することもできる。
【００８６】
即ち、本発明は、スピーカにより音声を出力する機器であり、制御用マイコンが音声出力回路を制御することによって音声の音量レベルが制御され、音量レベルに応じて冷却ファンによる冷却が行われる機器において実施することができる。例えば、本発明の音声出力機器を、記録再生装置により実施することもできる。
【図面の簡単な説明】
【００８７】
【図１】本発明の一実施形態であるテレビ受像機のブロック図である。
【図２】テレビ受像機のファンモータを動作させる条件からなる冷却ファン制御マッ        プの内容を示す図である。
【図３】テレビ受像機の動作の手順を示すフローチャートである。
【符号の説明】
【００８８】
１    制御用マイコン
２    トランス
３    第一のトランジスタ
４    第二のトランジスタ
５    リレー回路
６    第一レギュレータ
７    第二レギュレータ
８    冷却ファンのファンモータ
１０    テレビ受像機（音声出力機器）
【図１】
2005166701.tif 000003
【図２】
2005166701.tif 000004
【図３】
2005166701.tif 000005